(57)【要約】【課題】高圧受電設備が備える筐体内の狭い空きスペースであっても、当該設備を停電させることなく取り付け可能な状態表示装置を実現する【解決手段】母線導体に固定される電気絶縁体からなる絶縁固定部２ａと、絶縁固定部が母線導体に固定された時に、母線導体への高圧交流の通電によって生じた電磁界の中に配置される起電用導体３ａと、電磁界における磁束の変化によって起電用導体に生じた電位差に基づいて作動して一方向に電流を流す整流部１２と、起電用導体、及び整流部との間で閉回路を形成し、整流部からの電流に基づいて作動して母線導体に高圧交流が通電されていることを表示する表示部４と、絶縁固定部を母線導体に固定する時に、絶縁操作棒に備えた係止部が着脱自在に係止される被係止部６と、を有する。【選択図】図１
2020112404.tif 000002
【特許請求の範囲】
【請求項１】
高圧系統から受電した高圧交流が通電される高圧導体を筐体内部に収納した高圧受電設備に用いられ、前記高圧導体に前記高圧交流が通電されていることを表示する高圧導体の状態表示装置であって、
前記高圧導体に固定される電気絶縁体からなる絶縁固定部と、
前記絶縁固定部が前記高圧導体に固定された時に、前記高圧交流を前記高圧導体に通電することによって生じた電磁界の中に配置される起電用導体と、
前記電磁界における磁束の変化によって前記起電用導体に生じた電位差に基づき、一方向に電流を流す整流部と、
前記起電用導体、及び前記整流部との間で閉回路を形成し、前記整流部からの電流に基づいて作動して前記高圧導体に前記高圧交流が通電されていることを表示する表示部と、
前記絶縁固定部を前記高圧導体に固定する時に、絶縁操作棒に備えた係止部が着脱自在に係止される被係止部と、
を有することを特徴とする高圧導体の状態表示装置。
【請求項２】
前記絶縁固定部は、可撓性、及び電気絶縁性を有する合成樹脂によって作製され、前記高圧導体を挟んで固定する一対の挟持部材を含み、
前記起電用導体は、前記挟持部材に配置されていることを特徴とする請求項１に記載の高圧導体の状態表示装置。
【請求項３】
前記起電用導体、及び前記整流部との間で閉回路を形成し、前記表示部が前記整流部からの電流に基づく表示ができない時に、当該電流に基づいて前記高圧導体に前記高圧交流が通電されていることを表示する他の表示部を有することを特徴とする請求項１又は２に記載の高圧導体の状態表示装置。
【請求項４】
予め定めた温度以上になると色が変化する示温部を有することを特徴とする請求項１乃至３の何れか一項に記載の高圧導体の状態表示装置。
【請求項５】
前記高圧受電設備は、前記絶縁操作棒によって開閉操作される断路器を備えていることを特徴とする請求項１乃至４の何れか一項に記載の高圧導体の状態表示装置。
【発明の詳細な説明】
【技術分野】
【０００１】
本発明は、高圧導体の状態表示装置に関する。
【背景技術】
【０００２】
高圧線や母線導体等の高圧導体には高圧交流（電圧が６００Ｖを超え７０００Ｖ以下の交流）が通電されるが、高圧交流の通電中か否かは高圧導体の外観からは判断できない。高圧交流が通電中の高圧導体に対して不用意に近付いてしまうと感電等の事故に繋がってしまうため、高圧交流が通電中か否かの状態を表示することは事故防止の観点から有用である。
例えば、特許文献１には、鉄塔に支持された高圧線（高圧電路）の近傍に配置され、当該高圧線の近傍に誘起された誘導電界によって集電する集電部と、集電部が集電した電力により駆動され、高圧線に高圧交流が通電されている（高圧電路が充電されている）ことを標示する充電状態標示部と、を備えた充電状態標示装置が開示されている。
特許文献１の充電状態標示装置において、集電部は大型（例えば１ｍ×１ｍ程度の大きさ）の金属網によって作製されており、高圧線の近傍に配置されている。充電状態標示部は配線ケーブルによって集電部と電気的に接続されており、鉄塔の上部や下部に配置されて当該鉄塔を介して接地されている。
【０００３】
一般的に、高圧交流は低圧交流（電圧が６００Ｖ以下の交流）に変換された後に使用される。高圧交流を低圧交流に変換するために、高圧系統から高圧交流を受電する高圧受電設備（スイッチギア）を使用することがある。
高圧受電設備は、高圧系統から受電した高圧交流が通電される母線導体、電路を開閉したり異常電流を遮断する遮断器、及び落雷によって生じたサージ電圧から設備が備える各機器を保護するための避雷器等を金属製の筐体内部に収容した設備である。また、高圧受電設備には、高圧交流を低圧交流に変換する変圧器を備えたキュービクル式の高圧受電設備もある。
上述したように、高圧受電設備の筐体には母線導体や遮断器等の高圧交流が通電される機器が収納されているため、作業者は、これらの機器に接触しないように注意をする必要がある。しかし、筐体内部には各機器が密に収納されているために注意を促すための表示（作業区画表示）をこれらの機器に対して直接行うことはできない。例えば、高圧受電設備では、筐体の外側にロープを張って筐体内部へのアクセスを制限し、注意を促すための表示を筐体に対して行っている。
高圧受電設備の点検時、機器取替時、或いは修理時において、これらの作業は筐体を開放して行う。このとき、作業者は、検電器を使用して各機器が通電されていないことを確認しているが、前述したように、各機器には注意を促すための表示が行われていない。
【先行技術文献】
【特許文献】
【０００４】
【特許文献１】特開２０１８−６６５６５号公報
【発明の概要】
【発明が解決しようとする課題】
【０００５】
高圧受電設備が備える各機器についても高圧交流が通電中か否かの状態を表示することが望ましいが、前述した特許文献１の装置は、集電部が大型の金属網によって作製されているために高圧受電設備の筐体内部の空きスペースには装着し難く、短絡を防止するための対策を施す必要もある。さらに、集電部を筐体内部に取り付けるためには、高圧受電設備を停電させなければならない。
本発明は、このような事情に鑑みてなされたものであり、その目的は、筐体内の狭い空きスペースであっても、高圧受電設備を停電させることなく取り付け可能な高圧導体の状態表示装置を実現することにある。
【課題を解決するための手段】
【０００６】
上記課題を解決するために、本発明は、高圧系統から受電した高圧交流が通電される高圧導体を筐体内部に収納した高圧受電設備に用いられ、前記高圧導体に前記高圧交流が通電されていることを表示する高圧導体の状態表示装置であって、前記高圧導体に固定される電気絶縁体からなる絶縁固定部と、前記絶縁固定部が前記高圧導体に固定された時に、前記高圧交流を前記高圧導体に通電することによって生じた電磁界の中に配置される起電用導体と、前記電磁界における磁束の変化によって前記起電用導体に生じた電位差に基づき、一方向に電流を流す整流部と、前記起電用導体、及び前記整流部との間で閉回路を形成し、前記整流部からの電流に基づいて作動して前記高圧導体に前記高圧交流が通電されていることを表示する表示部と、前記絶縁固定部を前記高圧導体に固定する時に、絶縁操作棒に備えた係止部が着脱自在に係止される被係止部と、を有することを特徴とする。
【発明の効果】
【０００７】
本発明によれば、筐体内の狭い空きスペースであっても、高圧受電設備を停電させることなく状態表示装置を取り付けることができる。
【図面の簡単な説明】
【０００８】
【図１】（ａ）は状態表示装置の斜視図、（ｂ）は状態表示装置の底面図、（ｃ）は状態表示装置の電気的構成を説明するブロック図である。
【図２】（ａ）はキュービクル式の高圧受電設備の内部を説明する図、（ｂ）は高圧受電設備が備える断路器を説明する図、（ｃ）は断路器を開閉操作する絶縁操作棒の先端部を説明する図である。
【図３】絶縁操作棒の係止部を被係止部に係止させる操作を説明する図である。
【図４】絶縁操作棒を操作して状態表示装置を母線導体に取り付ける操作を説明する図である。
【図５】（ａ）は母線導体によって押し広げられている絶縁固定部を示す図、（ｂ）は母線導体に取り付けられた状態表示装置を示す図である。
【図６】（ｂ）は幅広の絶縁固定部を有する状態表示装置の斜視図、（ｂ）は母線導体に取り付けた状態表示装置の斜視図である。
【図７】（ａ）は絶縁被覆電線用の状態表示装置の斜視図、（ｂ）は絶縁被覆電線に取り付けた状態表示装置の斜視図である。
【図８】（ａ）は変形例の駆動回路を説明するブロック図、（ｂ）は表示部の発光ダイオードが正常に動作している時の動作を説明する図、（ｃ）は表示部の発光ダイオードに整流部からの電流が流れなくなった時の動作を説明する図である。
【発明を実施するための形態】
【０００９】
以下、本発明の実施形態について、図面を参照して説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
＜状態表示装置１の概要＞
最初に本実施形態に係る状態表示装置１の概要について説明する。図１（ａ）は状態表示装置１の斜視図、図１（ｂ）は状態表示装置１の底面図、図１（ｃ）は状態表示装置１の電気的構成を説明するブロック図である。図２（ａ）はキュービクル式の高圧受電設備２０の内部を説明する図、図２（ｂ）は高圧受電設備２０が備える断路器２９を説明する図、図２（ｃ）は断路器２９を開閉操作する絶縁操作棒３０の先端部３２を説明する図である。
図１（ａ）乃至（ｃ）に示す状態表示装置１は、図２（ａ）に示す高圧受電設備２０が備えた母線導体（高圧導体）２３に固定されるものであり、当該母線導体２３に対して高圧交流が通電されているか否かを表示する。状態表示装置１の母線導体２３への取り付けは、図２（ｃ）に示す絶縁操作棒３０を用いて母線導体２３から離れた場所から行う。
【００１１】
図１（ａ）乃至（ｃ）に示すように、状態表示装置１は、母線導体２３に固定される電気絶縁体（電気絶縁性を有する合成樹脂）からなる絶縁固定部２ａと、絶縁固定部２ａが母線導体２３に固定された時に、高圧交流を母線導体２３に通電することによって生じた電磁界の中に配置される集電部３（起電用導体３ａ）と、電磁界における磁束の変化によって起電用導体３ａに生じた電位差に基づいて作動し、一方向に電流Ｉを流す整流部１２（整流用ダイオード１２ａ）と、起電用導体３ａ、及び整流部１２との間で閉回路を形成し、整流部１２からの電流Ｉに基づいて作動して母線導体２３に高圧交流が通電されていることを表示する表示部４と、絶縁固定部２ａを母線導体２３に固定する時に、絶縁操作棒３０に備えた係止部３２ａ（図２（ｃ）を参照）が着脱自在に係止される被係止部６（係止部３２ａが挿入可能な貫通穴６ａ）と、を備えている。
以上の構成を有する状態表示装置１では、起電用導体３ａには電磁界における磁束の変化による電位差が生じ、整流部１２は起電用導体３ａに生じた電位差に基づいて作動して一方向に電流Ｉを流し、表示部４は整流部１２からの電流Ｉに基づいて作動して母線導体２３が通電中であることを表示する。この状態表示装置１において、起電用導体３ａ、整流部１２、及び表示部４を含む駆動回路１０は、接地をしなくても動作が可能である。このため、駆動回路１０をハウジング２に設ける等して状態表示装置１を小型化でき、高圧受電設備２０の筐体内部の狭い空きスペースであっても状態表示装置１を取り付けることができる。
さらに、状態表示装置１を母線導体２３に取り付ける時には、絶縁操作棒３０の係止部３２ａを被係止部６に係止して絶縁操作棒３０を操作し、絶縁固定部２ａを母線導体２３に固定すればよいため、母線導体２３から十分に離れた安全な場所から状態表示装置１を母線導体２３に取り付けることができる。従って、高圧受電設備２０を停電させることなく状態表示装置１を取り付けることができる。
【００１２】
＜状態表示装置１の詳細＞
以下、上述した状態表示装置１の詳細について説明する。図１（ａ）及び（ｂ）に示すように、状態表示装置１は、可撓性、及び電気絶縁性を有する合成樹脂によって作製され、母線導体２３に固定される絶縁固定部２ａを備えたハウジング２と、絶縁固定部２ａが母線導体２３に固定された時に、高圧交流を母線導体２３に通電することによって生じた電磁界の中に配置される集電部３（起電用導体３ａ）と、ハウジング２の正面に設けられ、母線導体２３の通電中に光って通電中であることを表示する表示部４と、ハウジング２の正面であって表示部４よりも下側に設けられ、予め定めた温度以上になると色が変化したり発色する示温シール５（示温部）と、ハウジング２の正面であって表示部４よりも上側に設けられ、絶縁操作棒３０の係止部３２ａが着脱自在に係止される被係止部６と、を備えている。
ハウジング２は、挟持部材２ｂ、及び爪部２ｃを備えた絶縁固定部２ａと、表示部４の背面側に設けられ、図１（ｃ）に示す駆動回路１０の一部が収容された回路収容部２ｄと、ハウジング２の正面であって回路収容部２ｄよりも下方に設けられ、示温シール５が貼着されるシール貼着面２ｅと、を備えている。
【００１３】
絶縁固定部２ａの挟持部材２ｂは長方形状の板状部分であり、ハウジング２の左側と右側のそれぞれに設けられている。一対の挟持部材２ｂの間には挿入空所Ｘが形成されており、各挟持部材２ｂは挿入空所Ｘに挿入した母線導体２３を左右から挟んで固定する（図５（ｂ）を参照）。爪部２ｃは、一対の挟持部材２ｂの背面側端部において挿入空所Ｘ側に突出しており、挿入空所Ｘに挿入した母線導体２３の縁に係止して状態表示装置１が母線導体２３から外れないように保持する。
回路収容部２ｄは、図１（ｃ）に示す駆動回路１０のうち、集電部３及び表示部４以外の回路要素、具体的には蓄電部１１、及び整流部１２を収容している。なお、駆動回路１０については後で説明する。
【００１４】
シール貼着面２ｅに貼着される示温シール５は、例えば５０℃乃至１２０℃程度の温度範囲において、予め定めた温度以上になると色が変化（或いは発色）するものである。示温シール５は、母線導体２３の温度を視覚的に表示する。母線導体２３の温度は、高圧交流の通電によって上昇する。また、母線導体２３の温度は、異常が発生した時に通常動作時よりも高い温度に上昇する。例えば、母線導体２３の温度は、母線導体２３同士を連結する連結ネジ（図示せず）が緩む等して電気抵抗値が上昇すると、通常動作時よりも高い温度まで上昇する。
示温シール５の色を非通電時の温度範囲と通常動作時の温度範囲との間で異ならせることにより、高圧受電設備２０の点検作業等を行う作業者は、示温シール５の色の変化に基づいて母線導体２３の温度が上昇していること、言い換えれば母線導体２３が通電中であることを認識できる。
さらに、非通電時の温度範囲における示温シール５の色、通常動作時の温度範囲における示温シール５の色、及び異常発生時の温度範囲における示温シール５の色をそれぞれ異ならせることにより、作業者は、高圧受電設備２０の動作状態（動作停止状態、通常動作状態、異常発生状態）を判断することもできる。
【００１５】
集電部３は、図１（ｃ）に示す起電用導体３ａを備えている。起電用導体３ａは、例えば集電に適したコイル形状の導体パターンによって構成されている。図１（ａ）及び（ｂ）に示すように、集電部３は、挟持部材２ｂの内部に設けられているため、絶縁固定部２ａが母線導体２３に固定された時に通電中の母線導体２３から生じた電磁界の中に配置される。この電磁界では母線導体２３に負荷電流が流れると磁束の大きさや向きが変化し、起電用導体３ａには磁束の大きさや向きの変化によって電位差が生じる。後述するように、起電用導体３ａに生じた電位差に基づいて表示部４による表示が行われる。
本実施形態では、起電用導体３ａを挟持部材２ｂの内部に設けているため、絶縁固定部２ａによって母線導体２３を固定するだけで、集電部３を母線導体２３から生じる電磁界の中に配置することができる。
【００１６】
表示部４は、図１（ｃ）に示す発光ダイオード４ａと、図１（ａ）及び（ｂ）に示すカバーレンズ４ｂとを備えている。発光ダイオード４ａは、母線導体２３の通電中（具体的には、母線導体２３に負荷電流が流れている時）に発光する。カバーレンズ４ｂは、光を拡散して透過させる合成樹脂によって作製され、発光ダイオード４ａの外側を覆っている。従って、表示部４では、母線導体２３の通電中に発光ダイオード４ａが発光し、発光ダイオード４ａからの光によってカバーレンズ４ｂの全体が光る。
従って、高圧受電設備２０の点検時等において、作業者は、表示部４（カバーレンズ４ｂ）の発光状態に基づいて母線導体２３が通電中であることを視認できる。
【００１７】
次に、状態表示装置１の駆動回路１０について説明する。図１（ｃ）に示すように、駆動回路１０は、起電用導体３ａを備えた集電部３と、発光ダイオード４ａを備えた表示部４と、コンデンサ１１ａを備えた蓄電部１１と、整流用ダイオード１２ａを備えた整流部１２と、を有しており、これらの起電用導体３ａ、発光ダイオード４ａ、コンデンサ１１ａ、及び整流用ダイオード１２ａによって閉回路が形成されている。具体的には、起電用導体３ａの一端３ｂにはコンデンサ１１ａが接続され、起電用導体３ａの他端３ｃには発光ダイオード４ａのカソードが接続され、整流用ダイオード１２ａのアノードにはコンデンサ１１ａが接続され、整流用ダイオード１２ａのカソードには発光ダイオード４ａのアノードが接続されている。
【００１８】
駆動回路１０において、起電用導体３ａとコンデンサ１１ａの組はＬＣ回路を構成する。ＬＣ回路の共振周波数は、母線導体２３に通電される高圧交流の周波数に揃えられている。従って、母線導体２３への通電によって生じた磁束の大きさや向きの変化により、起電用導体３ａには電位差（誘導電圧）が生じ、コンデンサ１１ａの電位は起電用導体３ａの一端３ｂの電位に倣って変化する。整流用ダイオード１２ａはコンデンサ１１ａから発光ダイオード４ａに向けて一方向に電流Ｉを流し、発光ダイオード４ａは整流用ダイオード１２ａが一方向に整流した電流Ｉによって発光する。電流Ｉの大きさは、母線導体２３に流れる負荷電流の大きさに比例して変動し、数ｍＡ乃至十数ｍＡ程度である。
このように、駆動回路１０は接地をしなくても単体で動作をするため小型化に適しており、ハウジング２に設けることができる。さらに、接地が不要であるため接地端子が母線導体２３に接続することに起因する地絡事故を確実に防止することができる。
【００１９】
図１（ａ）及び（ｂ）に示すように、被係止部６はハウジング２の正面上部に設けられており、左右方向に貫通した貫通穴６ａを備えている。係止部３２ａを貫通穴６ａへ挿入すると被係止部６が係止部３２ａに係止され、係止部３２ａを貫通穴６ａから抜き取ると係止部３２ａによる係止が解かれる。このように、係止部３２ａを貫通穴６ａに対して抜き差しすることにより、被係止部６を係止したり係止を解くことができるため、長尺な絶縁操作棒３０であっても操作が容易である。
【００２０】
＜高圧受電設備２０について＞
次に、高圧受電設備２０について説明する。図２（ａ）に示したキュービクル式の高圧受電設備２０は、正面と背面が開放した金属製の筐体２１と、筐体２１の正面と背面のそれぞれに対して開閉自在に取り付けられた金属製の扉２２と、筐体２１に収納され、外部の高圧系統から受電した高圧交流が通電される母線導体２３と、筐体内部の後上方であって母線導体２３の途中に配置され、母線導体２３を開閉したり異常電流を遮断する遮断器２４と、筐体内部の後下方に配置され、落雷によって生じたサージ電圧から高圧受電設備２０が備える各機器を保護するための避雷器２５と、筐体内部の前下方に配置され、高圧交流を低圧交流に変換する変圧器２６と、筐体内部の中央において母線導体２３から分岐され、母線導体２３に通電された高圧交流を進相コンデンサや計器用変成器（何れも図示せず）に通電するための絶縁被覆電線（ＫＩＰ線）２７と、筐体内部の前方において、計装機器や操作機器等を収容している機器収納部２８と、を備えている。
【００２１】
筐体２１は、上面が開放され前後に開口を備えた金属製の箱状部材である筐体本体２１ａと、筐体本体２１ａの内部空間を複数の小空間に仕切る金属製の仕切り壁２１ｂと、筐体本体２１ａの上面を塞ぐ金属製の天端部２１ｃと、天端部２１ｃを厚さ方向に貫通して設けられ、高圧バスダクト（図示せず）が装着されるダクト装着部２１ｄと、筐体本体２１ａの下面に取り付けられ、地表面Ｇに接する金属製の脚部２１ｅと、を備えている。
高圧バスダクトは、高圧線と導通した導体の下端を絶縁物で被覆して支持し、鉄やアルミニウム製のケース内に収容したものである。ダクト装着部２１ｄに高圧バスダクトが装着されることにより、母線導体２３の上端が高圧バスダクトの導体と電気的に接続され、母線導体２３に対して高圧系統からの高圧交流が通電される。
【００２２】
母線導体２３は、銅等の導電性が高い金属帯板（断面が長方形状の長尺板）によって作製されており、碍子ＩＳに支持されることによって仕切り壁２１ｂと電気的に絶縁されている。母線導体２３の幅及び厚さは母線導体２３を流れる負荷電流の大きさに応じて定められる。母線導体２３は、遮断器２４の位置において高圧系統側（上流側）の第一部分２３Ａと負荷側（下流側）の第二部分２３Ｂとに分割されており、遮断器２４によって開閉される。
遮断器２４は、筐体２１の内部において前後方向へ移動可能であり、最も前側の位置では母線導体２３の第一部分２３Ａと第二部分２３Ｂとを電気的に接続し、最も後側の位置では第一部分２３Ａと第二部分２３Ｂとを切り離して絶縁する。
避雷器２５は、避雷器本体２５ａと、母線導体２３と避雷器本体２５ａとを電気的に接続する避雷器接続線２５ｂとを備えている。避雷器２５は、例えば落雷によって母線導体２３に発生した過渡的な大電圧を地中へ放出することにより、高圧受電設備２０が備える各機器を保護する。
【００２３】
変圧器２６は、一次側端子２６ｂから受電した高圧交流を低圧交流に変換して二次側端子２６ｃから出力する変圧器本体２６ａと、母線導体２３と変圧器本体２６ａの一次側端子２６ｂとを電気的に接続する変圧器接続導体２６ｄと、変圧器本体２６ａの二次側端子２６ｃと電気的に接続された低圧電力ケーブル２６ｅと、を備えている。
変圧器接続導体２６ｄは、母線導体２３と同様に、銅等の導電性が高い金属帯板によって作製されている。なお、変圧器接続導体２６ｄに代えて、母線導体２３と変圧器本体２６ａの一次側端子２６ｂとの間を絶縁被覆電線によって電気的に接続してもよい。
低圧電力ケーブル２６ｅは筐体内部に収納された配線用遮断器（図示せず）に接続されており、変圧器本体２６ａで変換された低圧交流は配線用遮断器等を経由して外部に出力（配線）される。
【００２４】
母線導体２３の第二部分２３Ｂ、この第二部分２３Ｂから分岐した絶縁被覆電線２７、及び変圧器接続導体２６ｄ等、遮断器２４よりも負荷側（下流側）において高圧交流が通電される高圧導体の途中には、図２（ｂ）に示す断路器２９が取り付けられている。
断路器２９は、遮断器２４によって電流が流れなくなった高圧導体（電路）を開閉する機器であり、高圧導体に接続される一対の端子２９ａと、一対の端子２９ａの間に回動軸２９ｃを中心に回動可能に取り付けられ、回動によって一対の端子２９ａの間を開閉するブレード２９ｂと、ブレード２９ｂに設けられ、ブレード２９ｂを回動する際に使用されるリング部２９ｄと、一対の端子２９ａが先端に取り付けられた絶縁部２９ｅと、絶縁部２９ｅの基端を支持する基台２９ｆと、を備えている。
【００２５】
ブレード２９ｂは、図２（ｃ）に示す絶縁操作棒３０（ディスコン棒）によって回動操作される。絶縁操作棒３０は、円筒状の本体部３１と、本体部３１の先端に取り付けられた先端部３２と、を有しており、先端部３２の側面には丸棒形状の係止部３２ａが側方に突設されている。また、係止部３２ａの先端には、係止部３２ａよりも一回り大径な係止リング３２ｂが取り付けられている。
図２（ｂ）に示すように、ブレード２９ｂを回動させる時には、絶縁操作棒３０の係止部３２ａをリング部２９ｄに挿入した後に絶縁操作棒３０の先端を移動させる。これにより、断路器２９から十分に離れた安全な場所から断路器２９の開閉操作を行うことができる。
【００２６】
＜状態表示装置１の母線導体２３への取り付け作業について＞
次に、状態表示装置１の母線導体２３への取り付け作業について説明する。
図３は絶縁操作棒３０の係止部３２ａを被係止部６に係止させる動作を説明する図、図４は絶縁操作棒３０を操作して状態表示装置１を母線導体２３に取り付ける操作を説明する図、図５（ａ）は母線導体２３によって押し広げられている絶縁固定部２ａを示す図、図５（ｂ）は母線導体２３に取り付けられた状態表示装置１を示す図である。
図３に示すように、状態表示装置１を母線導体２３に取り付ける時には、最初に絶縁操作棒３０の係止部３２ａを状態表示装置１の被係止部６に係止する。具体的には、係止部３２ａを被係止部６の貫通穴６ａに挿入する。係止部３２ａを被係止部６に係止することにより、状態表示装置１が絶縁操作棒３０の先端に引っ掛けられる。
【００２７】
次に、図４に示すように、絶縁操作棒３０に引っ掛けた状態表示装置１を母線導体２３に近づける。この時、ハウジング２が備えた爪部２ｃを母線導体２３の側面（幅狭側の側面）に対向させて状態表示装置１を母線導体２３に近づける。爪部２ｃが母線導体２３に当接した状態から、絶縁操作棒３０によって状態表示装置１を母線導体２３側に押し込むと、図５（ａ）に示すように母線導体２３によって挟持部材２ｂが外側に押し広げられ、さらに押し込むと、図５（ｂ）に示すように爪部２ｃが母線導体２３の縁に係止して状態表示装置１が母線導体２３から外れないように保持する。状態表示装置１を押し込んだ後、絶縁操作棒３０の係止部３２ａを被係止部６から抜き取ることにより、状態表示装置１の母線導体２３への取り付けが終了する。
このように、本実施形態では、状態表示装置１を母線導体２３に取り付ける時には、絶縁操作棒３０の係止部３２ａを被係止部６に係止した状態で絶縁操作棒３０を操作し、絶縁固定部２ａを母線導体２３に固定すればよいため、母線導体２３から十分に離れた安全な場所から状態表示装置１を母線導体２３に取り付けることができる。従って、高圧受電設備２０を停電させることなく状態表示装置１を取り付けることができる。
【００２８】
＜変形例について＞
図１に示す状態表示装置１は、断面が長方形状の母線導体２３における幅狭側の側面に取り付けられていたが、図６（ａ）及び（ｂ）に示す状態表示装置１Ａのように、母線導体２３における幅広側の側面に取り付けるようにしてもよい。
また、図７（ａ）及び（ｂ）に示す状態表示装置１Ｂのように、断面が円形状の絶縁被覆電線２７（ＫＩＰ線）に取り付けるようにしてもよい。絶縁被覆電線２７は、断面が円形であって軟銅線によって作製された導体２７ａと、合成ゴム等の電気絶縁素材で作製されて導体２７ａの外周面を覆う絶縁被覆２７ｂと、を備えている
絶縁被覆電線２７の断面が円形状であることから、ハウジング２が備える絶縁固定部２ａ’は、絶縁被覆電線２７の形状に倣って湾曲された挟持部材２ｂ’、及び挟持部材２ｂ’の先端に設けた爪部２ｃ’を備えている。また、挟持部材２ｂ’の内部に設けられた集電部３’（起電用導体３ａ’）も絶縁被覆電線２７の形状に倣って湾曲されている。
なお、図７に示す状態表示装置１Ｂでは、被係止部６’（貫通穴６ａ’）の向きが図１に示す状態表示装置１とは異なっている。被係止部６’（貫通穴６ａ’）の向きは、取り付け対象となる高圧導体に応じて定めればよい。
【００２９】
図１に示す状態表示装置１において、表示部４は、母線導体２３に高圧交流が通電されている時に発光する発光ダイオード４ａを備えていたが、表示部４（発光ダイオード４ａ）が発光しないときに発光する別の表示部を備えてもよい。図８（ａ）は変形例の駆動回路１０Ａを説明するブロック図、図８（ｂ）は表示部４の発光ダイオード４ａが正常に動作している時の動作を説明する図、図８（ｃ）は表示部４の発光ダイオード４ａに整流部１２からの電流が流れなくなった時の動作を説明する図である。
図８（ａ）に示す駆動回路１０では、表示部４（発光ダイオード４ａ）と並列に、故障表示部１３（発光ダイオード１３ａ、及び抵抗１３ｂ）を接続している。この変形例において、故障表示部１３は、起電用導体３ａ、蓄電部１１、及び整流部１２との間で閉回路を形成し、故障表示部１３の発光ダイオード１３ａは、表示部４の発光ダイオード４ａとは異なる色で発光する。例えば、表示部４には赤色で発光する発光ダイオード４ａを使用し、故障表示部１３には青色で発光する発光ダイオード１３ａを使用する。
【００３０】
この駆動回路１０では、抵抗１３ｂによって整流部１２からの電流の流れが制限される。例えば、図８（ｂ）に示すように、表示部４の発光ダイオード４ａが正常な場合には、整流部１２からの電流Ｉ１が表示部４の発光ダイオード４ａに流れる。これにより、表示部４の発光ダイオード４ａは発光し、故障表示部１３の発光ダイオード１３ａは発光しない（若しくは薄暗く発光する）。一方、図８（ｃ）に示すように、表示部４の発光ダイオード４ａに整流部１２からの電流が流れなくなった時には、故障表示部１３の発光ダイオード１３ａに整流部１２からの電流Ｉ２が流れ、この発光ダイオード１３ａが発光する。
従って、表示部４の発光ダイオード４ａが故障したとしても、故障表示部１３の発光ダイオード１３ａが発光するため、表示部４の発光ダイオード４ａが故障したこと、及び母線導体２３に高圧交流が通電されていることを、作業者に知らせることができる。
【００３１】
＜その他の変形例について＞
前述の実施形態において、高圧受電設備２０は変圧器２６を有したキュービクル式のものを例示したが、本発明に係る状態表示装置１は、変圧器２６を有さない形式の高圧受電設備にも用いることができる。
前述の実施形態において、駆動回路１０は蓄電部１１（コンデンサ１１ａ）を備えていたが、蓄電部１１がなくても電磁界における磁束の変化によって起電用導体３ａに電位差が生じる時には、蓄電部１１を省略することもできる。
前述の実施形態において、集電部３の起電用導体３ａを絶縁固定部２ａの挟持部材２ｂに設けたが、高圧導体（母線導体２３，絶縁被覆電線２７）への通電によって生じた電磁界の中に配置できれば、起電用導体３ａを異なる箇所に設けてもよい。
【００３２】
[本発明の実施態様例と作用、効果のまとめ]
＜第一の実施態様＞
本態様に係る高圧導体の状態表示装置１は、高圧系統から受電した高圧交流が通電される高圧導体（母線導体２３、絶縁被覆電線２７）を筐体２１の内部に収納した高圧受電設備２０に用いられ、高圧導体に高圧交流が通電されていることを表示するものであって、高圧導体に固定される電気絶縁体からなる絶縁固定部２ａと、絶縁固定部２ａが高圧導体に固定された時に、高圧交流を高圧導体に通電することによって生じた電磁界の中に配置される起電用導体３ａと、電磁界における磁束の変化によって起電用導体３ａに生じた電位差に基づき、一方向に電流Ｉを流す整流部１２と、起電用導体３ａ、及び整流部１２との間で閉回路を形成し、整流部１２からの電流Ｉに基づいて作動して高圧導体に高圧交流が通電されていることを表示する表示部４と、絶縁固定部２ａを高圧導体に固定する時に、絶縁操作棒３０に備えた係止部３２ａが着脱自在に係止される被係止部６と、を有することを特徴とする。
本態様において、起電用導体３ａ、整流部１２、及び表示部４が形成する閉回路は、接地をしなくても動作が可能である。従って、本態様に係る状態表示装置１は小型化が容易であり、筐体内部の狭い空きスペースであっても取り付けることができる。さらに、状態表示装置１の母線導体２３への取り付け作業は、絶縁操作棒３０を使用して高圧導体から十分に離れた安全な場所から行える。従って、高圧受電設備２０を停電させることなく状態表示装置１を取り付けることができる。
【００３３】
＜第二の実施態様＞
本態様に係る状態表示装置１では、絶縁固定部２ａは、可撓性、及び電気絶縁性を有する合成樹脂によって作製され、高圧導体を挟んで固定する一対の挟持部材２ｂを含み、起電用導体３ａは、挟持部材２ｂに配置されていることを特徴とする。
本態様に係る状態表示装置１によれば、絶縁固定部２ａを高圧導体に固定させることにより、起電用導体３ａを電磁界の中に配置することができる。
【００３４】
＜第三の実施態様＞
本態様に係る状態表示装置１では、起電用導体３ａ、及び整流部１２との間で閉回路を形成し、表示部４が整流部１２からの電流に基づく表示ができない時に、当該電流に基づいて作動して高圧導体に高圧交流が通電されていることを表示する他の表示部（故障表示部１３）を有することを特徴とする。
本態様に係る状態表示装置１によれば、表示部４が高圧導体に高圧交流が通電されていることを表示できなくても、他の表示部によって表示できる。
【００３５】
＜第四の実施態様＞
本態様に係る状態表示装置１では、予め定めた温度以上になると色が変化する示温部（示温シール５）を有することを特徴とする。
本態様に係る状態表示装置１によれば、示温部の色の変化に基づいて、高圧導体に高圧交流が通電されていることを認識できる。
【００３６】
＜第五の実施態様＞
本態様に係る状態表示装置１では、高圧受電設備は、絶縁操作棒３０によって開閉操作される断路器２９を備えていることを特徴とする。
本態様に係る状態表示装置１によれば、高圧受電設備が備える断路器２９を開閉操作するための絶縁操作棒３０によって状態表示装置１を取り付けることができるため、使い勝手が向上する。
【符号の説明】
【００３７】
１、１Ａ、１Ｂ…状態表示装置，２…ハウジング，２ａ…絶縁固定部，２ｂ…挟持部材，３…集電部，３ａ…起電用導体，４…表示部，４ａ…発光ダイオード，５…示温シール，６…被係止部，６ａ…貫通穴，１０…駆動回路，１１…蓄電部，１１ａ…コンデンサ，１２…整流部，１２ａ…整流用ダイオード，１３…故障表示部，１３ａ…発光ダイオード，１３ｂ…抵抗，２０…キュービクル式高圧受電設備，２１…筐体，２３…母線導体，２３Ａ…母線導体の第一部分，２３Ｂ…母線導体の第二部分，２４…断路器，２５…避雷器，２６…変圧器，２７…絶縁被覆電線（ＫＩＰ線），２９…断路器，２９ｂ…ブレード，２９ｃ…回動軸，２９ｅ…リング部，３０…絶縁操作棒，３１…本体部，３２…先端部，３２ａ…係止部，Ｉ…整流後の電流
【図１】
2020112404.tif 000003
【図２】
2020112404.tif 000004
【図３】
2020112404.tif 000005
【図４】
2020112404.tif 000006
【図５】
2020112404.tif 000007
【図６】
2020112404.tif 000008
【図７】
2020112404.tif 000009
【図８】
2020112404.tif 000010